(57)【要約】【課題】  簡易な構成により、主としてリハビリによる身体機能の回復を目的とした、平衡感覚及び主として脚部筋力のトレーニングに用いる、不安定な足場の提供。【解決手段】  上記課題を解決する為に本発明は、弾性を有すポリウレタンフォームまたは低反発弾性を有すポリウレタンフォームよりなる、好ましくは厚さ寸法を３０ｍｍ乃至１００ｍｍ、縦寸法と横寸法との合計を５００ｍｍ乃至１２００ｍｍの概ね直方体とした、発泡体を樹脂薄膜により被包し、空隙に気体や、増粘剤により増粘した水、又は水溶性ポリマーを溶解した水等よりなり、好ましくは２０℃における動粘性率を５００ｃＳｔ以下とした物性の流体を充填して密封状として成る密室を有し、樹脂薄膜に密室内部を密封状又は外部と連通状と出きるバルブを設けることにより、密室内の流体の量を調節可能に構成してあり、また、所要複数の密室を連結孔を介し連成してもよく、上面に天板を設けてもよい。【選択図】図１
2005110719.tif 000002
【特許請求の範囲】
【請求項１】
弾性を有す発泡体を樹脂薄膜により被包し、空隙に流体を充填して密封状として成る密室を有すことを特徴とする、平衡感覚訓練用マット体。
【請求項２】
発泡体を厚さ寸法を３０ｍｍ乃至１００ｍｍとしたことを特徴とする、請求項１記載の平衡感覚訓練用マット体。
【請求項３】
発泡体を縦寸法と横寸法との合計を５００ｍｍ乃至１２００ｍｍの概ね直方体としたことを特徴とする、請求項１又は請求項２記載の平衡感覚訓練用マット体。
【請求項４】
発泡体をポリウレタンフォームとしたことを特徴とする、請求項１乃至請求項３記載の平衡感覚訓練用マット体。
【請求項５】
発泡体を、みかけ密度が３５ｋｇ／ｍ３乃至８５ｋｇ／ｍ３であり、硬さ（ＪＩＳ  Ｋ６４０１）が２ｋｇ乃至１７ｋｇ以下であり、好ましくは反発弾性（ＪＩＳ  Ｋ６４０１）が２０％以下の低反発弾性を有すポリウレタンフォームとしたことを特徴とする、請求項１乃至請求項３記載の平衡感覚訓練用マット体。
【請求項６】
密室内の空隙に充填する流体を、２０℃における動粘性率を５００ｃＳｔ以下としたことを特徴とする、請求項１乃至請求項５記載の平衡感覚訓練用マット体。
【請求項７】
密室内の空隙に充填する流体を、気体としたことを特徴とする、請求項１乃至請求項６記載の平衡感覚訓練用マット体。
【請求項８】
密室内の空隙に充填する流体を、増粘剤により増粘した水としたことを特徴とする、請求項１乃至請求項６記載の平衡感覚訓練用マット体。
【請求項９】
密室内の空隙に充填する流体を、水溶性ポリマーを溶解した水としたことを特徴とする、請求項１乃至請求項６記載の平衡感覚訓練用マット体。
【請求項１０】
樹脂薄膜に密室内部を密封状又は外部と連通状と出きるバルブを有することを特徴とする、請求項１乃至請求項９記載の平衡感覚訓練用マット体。
【請求項１１】
所要複数の密室を連結孔を介し連成したことを特徴とする、請求項１乃至請求項１０記載の平衡感覚訓練用マット体。
【請求項１２】
上面に天板を有することを特徴とする、請求項１乃至請求項１１記載の平衡感覚訓練用マット体。
【発明の詳細な説明】
【技術分野】
【０００１】
本発明は、リハビリテーションやスポーツ等のトレーニングにおいて殊に直立状態における身体の平衡感覚の訓練に使用する、平衡感覚訓練用マット体に関する。
【背景技術】
【０００２】
高齢化や各種病による身体の平衡感覚の低下、又は主として脚部筋力の低下が生ずると、直立や歩行の困難性により日常生活に支障をきたし、該支障の程度によっては介助を必要とするのみならず、身体運動が制限され心肺等身体能力の低下の要因となり得る為、リハビリにより平衡感覚や脚部等筋力をトレーニングし直立や歩行可能となることが望ましい。
【０００３】
また、各種スポーツや武芸等においても、更なる運動能力の向上を望めば、その基礎となる平衡感覚や脚部等筋力の訓練は極めて重要なものとなるため、これらについてトレーニングすることが必要となる。
【０００４】
これらの平衡感覚や脚部等筋力については、不安定な足場に足を乗せ直立状態として乗り、自身の足裏にかかる圧力や身体の重心の偏りを感知し、身体の重心を移動し直立状態を保持しようとすることにより、効率的にトレーニング可能となる。
【０００５】
この不安定な足場は予測困難に変動することが望ましく、これにより足場の変動に追従して、身体の重心を移動し直立状態を保持しようとすることが必要となり、殊に平衡感覚についてより効率的にトレーニング可能となる。
【０００６】
上記トレーニングに使用する、予測困難に変動する不安定な足場としては、支点を介して揺動する足場としたり（例えば、特許文献１参照。）、支軸を介して揺動する足場とし（例えば、特許文献２参照。）、種々開発され提供されているが、これらは揺動を抑制することが十分に出来ず、支点や支軸の位置調節による不安定さの調節によっても、不安定状態となり過ぎたり安定状態となり過ぎたりしてしまい、殊にリハビリを目的としたトレーニングにおいては、適度な運動強度と出来ない難点がある。
【０００７】
これについて、揺動を例えばエアシリンダ等とこれを制御する機構を備えたもの（例えば、特許文献３参照。）、又は揺動をモータ等駆動装置とこれを制御する機構を備えたものによりすることも出きるが（例えば、特許文献４参照。）、機構が複雑となり導入コストや整備管理コストが高くなってしまい、また操作を熟知した者を必要とする難点がある。
【０００８】
【特許文献１】特開平１１−１８８１２０
【特許文献２】特開平９−１７３５０１
【特許文献３】特開平６−２５４１７８
【特許文献４】特開平８−２９９４９６
【発明の開示】
【発明が解決しようとする課題】
【０００９】
上述した難点を解決する為、本発明は導入コストや整備管理コストが低く、揺動の抑制を簡易な構成により可能とし、また該揺動をその目的に合わせ、リハビリを目的としたトレーニングに適した弱度のものから、スポーツ等を目的としたトレーニングに適した強度のものまで、広範に亘り無段階の微妙な調節を可能とし、効果的かつ安全なトレーニングを可能とした、予測困難に変動する、平衡感覚及び主として脚部筋力のトレーニングに用いる、不安定な足場を提供可能とすることにある。
【課題を解決するための手段】
【００１０】
そこで本発明による平衡感覚訓練用マット体は、弾性を有す発泡体を樹脂薄膜により被包し、空隙に流体を充填して密封状として成る密室を有す構成とすることにより、床面に設置し使用者が上部に足を乗せ直立状に起立した際に、該密室内の足裏と床面との間の流体層により不安定な足場となり、これは使用者の重心移動に伴い予測困難に変動することとなる。
【００１１】
この不安定状態は駆動装置や制御装置に因らずとも、該密室に内包する発泡体の有す厚さや弾性等に応じて適度に抑制及び支持され、リハビリやスポーツ等のトレーニングの目的に応じた適切なものとできる。
【００１２】
また、密室内の空隙に充填する流体によっても前記不安定状態は変わり、該流体は、気体や、増粘剤により増粘した水、又は水溶性ポリマーを溶解した水等よりなり、好ましくは２０℃における動粘性率を５００ｃＳｔ以下とした物性としてあり、更に、樹脂薄膜に密室内部を密封状又は外部と連通状と出きるバルブを設けることにより、密室内の流体の量を調節可能とし、リハビリやスポーツ等のトレーニングの目的に応じた適切なものに調節可能とできる。
【００１３】
なお、該密室に内包される発泡体は、ポリウレタンフォームまたはみかけ密度が３５ｋｇ／ｍ３乃至８５ｋｇ／ｍ３であり、硬さ（ＪＩＳ  Ｋ６４０１）が２ｋｇ乃至１７ｋｇ以下であり、好ましくは反発弾性（ＪＩＳ  Ｋ６４０１）が２０％以下の低反発弾性を有すポリウレタンフォームよりなり、厚さ寸法を３０ｍｍ乃至１００ｍｍ、縦寸法と横寸法との合計を５００ｍｍ乃至１２００ｍｍの概ね直方体とすることが好ましく、また、所要複数の密室を連結孔を介し連成してもよく、上面に天板を設けてもよい。
【発明の効果】
【００１４】
本発明による平衡感覚訓練用マット体は上述した構成とすることにより、床面に設置し使用者が上部に足を乗せ直立状に起立した際に、該密室内の足裏と床面との間の流体層により、使用者の重心移動に伴い予測困難に変動する不安定な足場となり、使用者は直立状態を保持すべく変動する足場により変動する身体の重心を常に中心に保つよう補正することが必要となり、これにより瞬時に身体の傾きや重心等の体勢を判断する感覚能力、脚部筋肉のみならず、全身の筋力を使用する運動能力の改善をするリハビリやスポーツ等のトレーニングとできる。
【００１５】
更に、簡易な構成により不安定状態の足場として提供可能としたことにより、使用者の経済的負担は軽くなり、また、複雑な操作も不要であるので、容易に使用者があらゆる場所で使用することが可能となる。殊にリハビリにおいては、継続的に行うことが望ましいため、自室において設置及び使用に負担の少ないものと出きる効果は大となる。
【００１６】
本発明による平衡感覚訓練用マット体はトレーニングの強度について、該密室に内包する発泡体の有す厚さや弾性等、及び密室内の空隙に充填する流体により、リハビリやスポーツ等のトレーニングの目的に応じた最も効果的かつ使用者に危険の少ない適切なものとできる。また、密室内の流体の量を調節可能とすることにより、リハビリやスポーツ等のトレーニングの目的に応じ構成し、更に使用者の要するトレーニングの個人差に応じた適切なものに調節可能とできる。
【発明を実施するための最良の形態】
【００１７】
以下、本発明による平衡感覚訓練用マット体の実施をするに際し、最良の形態を図示説明する。
【００１８】
本発明による平衡感覚訓練用マット体１０は、図１又は図２に示すように、樹脂薄膜１１により、発泡体１２を被包し密封状とし密室１３内に内包してあり、該密室１３内の発泡体１２を除いた空隙１４には、流体１５が充填されている。
【００１９】
平衡感覚訓練用マット体１０は、床面に設置し使用者が足を載置し直立状として起立するに、不安定状となり過ぎれば直立出来ず、転倒又は足を床面に下ろしてしまい、安定状となり過ぎれば容易に直立可能となり、何れもトレーニングとしての効果を奏することが出来ない為、使用に際して適度な不安定状態とする必要があり、樹脂薄膜１１、密室１３に内包した発泡体１２の寸法及び材質、流体１５の性質及び量を適切なものとする必要がある。
【００２０】
樹脂薄膜１１は、ポリエステル、エチレンビニルアルコ−ル共重合体、ポリビニルアルコール、ポリ塩化ビニリデン等のフィルム、又はそれらをコートした複合フィルム等のプラスチックフィルム、或は蒸着により他の材料とを複合したプラスチックフィルム、樹脂フィルム等をラミネートした繊維、又は樹脂やゴム等を含浸した繊維等の気密性を有する材質よりなり、単数の樹脂薄膜１１を折り曲げし対応する周縁を、又は対向させ周縁をあわせた所要複数の樹脂薄膜１１の対応する周縁を、ウェルダー加工等の熱溶着、又はエポキシ系、アクリル系、ゴム系、ウレタン系等の接着剤による接着等することにより密室１３構成する。
【００２１】
発泡体１２は、ポリウレタンフォーム等よりなるが、殊に樹脂薄膜１１を伸縮性の高い材質とした際には、みかけ密度が３５ｋｇ／ｍ３乃至８５ｋｇ／ｍ３であり、硬さ（ＪＩＳ  Ｋ６４０１）が２ｋｇ乃至１７ｋｇ以下であり、好ましくは反発弾性（ＪＩＳ  Ｋ６４０１）が２０％以下の低反発弾性を有すポリウレタンフォームとすることが望ましい。
【００２２】
また、発泡体１２は、使用者の足裏と床面との間隔を適度なものとする為に、厚さ寸法を３０ｍｍ乃至１００ｍｍとし、使用者の足裏の全面を支持する為に、縦寸法と横寸法との合計を５００ｍｍ乃至１２００ｍｍの概ね直方体として、密室１３に内包してある。
【００２３】
密室１３は、殊に樹脂薄膜１１を伸縮性の高い材質とした際に、平衡感覚訓練用マット体１０を、床面に設置し使用者が足を載置し直立状として起立した際に、樹脂薄膜１１が伸びて密室１３の容量が増し、使用者の足裏が床面と樹脂薄膜１１及び圧潰状となった発泡体１２を介して接し支持されてしまい、安定状となってしまうことを防止する為に、予め圧力を高くした状態で流体１５を密室１３内に封入し、又は樹脂薄膜１１を熱収縮性のある材質とし、密封状とし熱収縮させ密室１３内の流体１５の圧力を高め、樹脂薄膜１１を緊張状とし、好ましくは、使用者により体重が異なる為、これに応じて調節可能とすべく、密室１３内部を密封状又は外部と連通状と出きるバルブ１６を取付し、流体１５の量を調節し、使用者の体重に応じて密室１３内の流体１５の圧力を高くし樹脂薄膜１１を緊張状とする。
【００２４】
密室１３内の空隙１４に充填する流体１５は、平衡感覚訓練用マット体１０を、床面に設置し使用者が足を載置し直立状として起立した際に、荷重の偏りに応じて、スムースに流動することが望ましく、２０℃における動粘性率を５００ｃＳｔ以下とし、空気等の気体や、増粘剤により増粘または水溶性ポリマーを溶解した水、又はこれらを併せて用いる。
【００２５】
上述により構成した本発明による平衡感覚訓練用マット体１０は、図３に示すように、所要複数に密室１３を隔て、各密室１３間を単数又は所要複数の連結孔１７を介して流体１５を流動可能とし、或は図４に示すように、所要複数の密室１３を、単数又は所要複数の連結管１８を介して流体１５を流動可能としても実施可能であり、使用者は其々の密室１３に、或は複数の密室１３，１３，・・・に亘って足を乗せて使用することが出きる。
【００２６】
また、上述により構成した本発明による平衡感覚訓練用マット体１０は、図５又は図６に示すように、上面に単数又は所要複数の天板１９，１９，・・・を取付して実施することも可能であり、これにより使用者の載置した足裏よりかかる体重は天板１９，１９，・・・全面に分散してかかり、軽度のトレーニング強度と出来、また平衡感覚訓練用マット体１０の厚さ寸法を薄くしてもトレーニング効果を得られる。
【００２７】
前記した天板１９は、樹脂、発泡樹脂、木板、又はこれらを貼り合せした板材等であって、樹脂薄膜１１に内包する発泡体１２より硬質としてある板材よりなり、平衡感覚訓練用マット体１０の設置時における発泡体１２の上部の樹脂薄膜１１との空隙１４に天板１１を内設し、または平衡感覚訓練用マット体１０の設置時における上面の樹脂薄膜１１に貼接し、或は平衡感覚訓練用マット体１０の設置時における上面の樹脂薄膜１１を二重とし天板１９を該二重の樹脂薄膜１１，１１の間に挟装する等し、平衡感覚訓練用マット体１０の設置時における上部に設けてある。
【００２８】
前記した天板１９の平衡感覚訓練用マット体１０への取付は、面ファスナ等により天板１９の樹脂薄膜１１との着脱を容易とし、或は挿脱口を設けて天板１９を樹脂薄膜１１，１１との挿脱を容易とし、異なる硬さの天板１９との交換を容易とし、更に運動強度の調節を可能としてあることが望ましい。
【００２９】
また、上述により構成した本発明による平衡感覚訓練用マット体１０は、設置時に床面と接する裏面に、設置する床面に応じた滑り止めを施してあることが好ましい。
【産業上の利用可能性】
【００３０】
本発明による平衡感覚訓練用マット体１０は、簡易な構成としたことにより、安価に提供でき、場所をえらばず安全に、各使用者の必要とする適切なトレーニング強度として、効果的に平衡感覚及びそれに必要な全身の筋力のトレーニングが可能となり、殊にリハビリの機能回復を目的としたトレーニングに際して、その効果は大となる。
【図面の簡単な説明】
【００３１】
【図１】一部破断の斜視図である。
【図２】断面図である。
【図３】連結孔を介し連結した複数の密室を有す構成の断面図である。
【図４】連結管を介し連結した複数の密室を有す構成の断面図である。
【図５】天板を有す構成の断面図である。
【図６】複数の天板を有す構成の断面図である。
【符号の説明】
【００３２】
１０  平衡感覚訓練用マット体
１１  樹脂薄膜
１２  発泡体
１３  密室
１４  空隙
１５  流体
１６  バルブ
１７  連結孔
１８  連結管
１９  天板
【図１】
2005110719.tif 000003
【図２】
2005110719.tif 000004
【図３】
2005110719.tif 000005
【図４】
2005110719.tif 000006
【図５】
2005110719.tif 000007
【図６】
2005110719.tif 000008